(57)【要約】【課題】  記録材料を含むカートリッジの管理を容易とするカートリッジ、カートリッジの管理方法及びカートリッジを装填する画像記録装置を提供する。【解決手段】    このカートリッジ１３は、画像記録用の記録紙Ｓを交換可能に収容し画像記録装置に装填可能であり、記録紙Ｓが巻回される巻き芯部材６０の端部６１ａに記録紙に関する識別情報が記録され電波により非接触で読み取り可能なＩＤタグ６６を設けるとともに、ＩＤタグの設けられた端部に近接し対向するカートリッジの側面１３ａが樹脂材料から形成されている。【選択図】  図５
2005128394.tif 000002
【特許請求の範囲】
【請求項１】
画像記録用のシート状の記録材料を交換可能に収容し画像記録装置に装填可能なカートリッジであって、
前記記録材料が巻回される巻き芯部材の端部に前記記録材料に関する識別情報が記録され電波により非接触で読み取り可能なＩＤタグを設けるとともに、前記ＩＤタグの設けられた端部に近接し対向する前記カートリッジの側面が樹脂材料から形成されていることを特徴とするカートリッジ。
【請求項２】
画像記録用のシート状の記録材料を交換可能に収容し画像記録装置に装填可能なカートリッジであって、
前記カートリッジの一部に前記記録材料に関する識別情報が記録され電波により非接触で読み取り可能なＩＤタグを埋め込むとともに、少なくとも前記ＩＤタグの埋め込まれた部分が樹脂材料から形成されていることを特徴とするカートリッジ。
【請求項３】
前記ＩＤタグは、前記識別情報が記録されたＩＣチップ部と、電波による通信を行うためのコイル部と、を備える請求項１または２に記載のカートリッジ。
【請求項４】
請求項１，２または３に記載のカートリッジにおいて前記ＩＤタグから識別情報を読み取ることでカートリッジを識別することを特徴とするカートリッジの管理方法。
【請求項５】
請求項１，２または３に記載のカートリッジが装填され前記カートリッジから供給されたシート状の記録材料に画像記録が行われる画像記録装置において、
前記カートリッジが装填されたとき前記ＩＤタグに近接するように配置されるとともに前記ＩＤタグから電波により非接触で前記識別情報を読み取ることのできる読取部を備えることを特徴とする画像記録装置。
【発明の詳細な説明】
【技術分野】
【０００１】
本発明は、記録材料を詰め替えて収容可能なカートリッジ、カートリッジの管理方法及びカートリッジを装填する画像記録装置に関するものである。
【背景技術】
【０００２】
従来、印刷製版工程では最終的な印刷作業を行う前に、印刷出力対象の絵柄、色調、文章、文字等の確認を行うためにプルーフ（校正用サンプル）を作成するのが一般的である。このプルーフ作成のための画像データを画像記録装置に送り、画像記録装置の露光部で円筒状ドラムの周囲に巻き付けた銀塩カラー感光材料からなるシート状の記録材料（記録紙）に対し、入力した画像データに基づいて複数のチャンネルを有する光源で露光を行い、その後、ドラムから記録材料を剥離し搬送し現像部で現像処理を行いカラープルーフとして出力する。かかる画像記録装置では、記録紙をロール状に巻回して収容したカートリッジを装填し、カートリッジから記録紙を搬送して画像記録を行う。
【０００３】
上記画像記録装置においてカートリッジ内の記録紙を使い切ると、新たな記録紙をカートリッジ内に装填し詰め替えるが、この場合、カートリッジ内部の記録紙の種類等の識別のために、カートリッジの外部にシールや認識用爪などを設けてカートリッジを識別するか、または、カートリッジを画像記録装置に装填する際に作業者がその都度情報を入力することで識別を行っていた。このように、従来の記録紙を詰め替え可能なカートリッジの管理は手間がかかり面倒であった。
【０００４】
下記特許文献１には、カートリッジにＩＣカード等を取り付け各種情報を記録し、そのＩＣカードから情報を読み取るようにした感光材料処理装置及びカートリッジが開示されているが、ＩＣカード等をカートリッジに取り付けるので、記録紙を識別するには、その都度確認し、装置本体からＩＣカード等に記録する必要がある。
【特許文献１】特開２０００−２２１６１２公報
【特許文献２】特開平６−３５３８０号公報
【発明の開示】
【発明が解決しようとする課題】
【０００５】
本発明は、上述のような従来技術の問題に鑑み、記録材料を含むカートリッジの管理を容易とするカートリッジ、カートリッジの管理方法及びカートリッジを装填する画像記録装置を提供することを目的とする。
【課題を解決するための手段】
【０００６】
上記目的を達成するために、本発明によるカートリッジは、画像記録用のシート状の記録材料を交換可能に収容し画像記録装置に装填可能なカートリッジであって、前記記録材料が巻回される巻き芯部材の端部に前記記録材料に関する識別情報が記録され電波により非接触で読み取り可能なＩＤタグを設けるとともに、前記ＩＤタグの設けられた端部に近接し対向する前記カートリッジの側面が樹脂材料から形成されていることを特徴とする。
【０００７】
このカートリッジによれば、記録材料が巻回される巻き芯部材の端部に記録材料に関する識別情報が記録されたＩＤタグを設け、その識別情報を電波により非接触で読み取り可能であるので、記録材料を含むカートリッジの管理が容易かつ確実に行うことが可能となる。また、ＩＤタグの設けられた端部に近接し対向するカートリッジの側面を樹脂材料から形成するので、ＩＤタグから識別情報を電波で読み取り可能となる。
【０００８】
本発明による別のカートリッジは、画像記録用のシート状の記録材料を交換可能に収容し画像記録装置に装填可能なカートリッジであって、前記カートリッジの一部に前記記録材料に関する識別情報が記録され電波により非接触で読み取り可能なＩＤタグを埋め込むとともに、少なくとも前記ＩＤタグの埋め込まれた部分が樹脂材料から形成されていることを特徴とする。
【０００９】
このカートリッジによれば、カートリッジの一部にＩＤタグを埋め込み、その識別情報を電波により非接触で読み取り可能であるので、記録材料を含むカートリッジの管理が容易かつ確実に行うことが可能となる。また、少なくともＩＤタグの埋め込まれたカートリッジの部分を樹脂材料から形成するので、ＩＤタグから識別情報を電波で読み取り可能となる。
【００１０】
上記カートリッジにおいて前記ＩＤタグは、前記識別情報が記録されたＩＣチップ部と、電波による通信を行うためのコイル部と、を備えるように構成できる。
【００１１】
本発明によるカートリッジの管理方法は、上述の各カートリッジにおいて前記ＩＤタグから識別情報を読み取ることでカートリッジを識別することを特徴とする。
【００１２】
このカートリッジの管理方法によれば、カートリッジがその内部または一部に記録材料に関する識別情報が記録されたＩＤタグを備え、そのＩＤタグから識別情報を電波により非接触で読み取ることができるので、記録材料を含むカートリッジの管理を容易かつ確実に行うことができる。
【００１３】
本発明による画像記録装置は、上述の各カートリッジが装填され前記カートリッジから供給されたシート状の記録材料に画像記録が行われる画像記録装置において、前記カートリッジが装填されたとき前記ＩＤタグに近接するように配置されるとともに前記ＩＤタグから電波により非接触で前記識別情報を読み取ることのできる読取部を備えることを特徴とする。
【００１４】
この画像記録装置によれば、装填されたカートリッジに備えられたＩＤタグから識別情報を読取部で電波により非接触で読み取ることができ、装置が記録材料に関する識別情報を容易かつ確実に取得でき、この識別情報に基づいて装置を制御することができる。
【００１５】
なお、上記画像記録装置は、例えば、装置に装填されたカートリッジからシート状の記録材料が供給されてドラム上に巻き付けられ、そのドラムが回転しながら光ビームの露光により画像記録が行われる構成とすることができる。
【発明の効果】
【００１６】
本発明のカートリッジ、カートリッジの管理方法及び画像記録装置によれば、記録材料を含むカートリッジの管理を容易かつ確実に行うことができる。
【発明を実施するための最良の形態】
【００１７】
以下、本発明を実施するための最良の形態について図面を用いて説明する。
【００１８】
最初に、本実施の形態によるカートリッジを装填可能な画像記録装置について説明する。図１は本実施の形態によるカートリッジを装填可能な画像記録装置全体の外観を示す斜視図である。図２は図１の画像記録装置の内部を正面側から見た図である。図３は図２の画像記録装置のドラム及び光学ユニットを上部から見た要部平面図である。
【００１９】
図１、図２に示すように、画像記録装置１は、印刷出力対象の絵柄、色調、文章、文字等の確認を行うためのカラープルーフ（校正用サンプル）を作成するものであって、銀塩カラー感光記録材料（以下、単に「記録材料」ともいう。）に露光し画像を形成する露光ユニット１１と、露光された記録材料を現像する現像ユニット２１と、を備える。
【００２０】
露光ユニット１１は、前面からメンテナンスできるように開閉可能な前面パネル５と、各種情報の表示とタッチパネルからなり装置全体の操作のために入力可能な表示部２と、内部にシート状の記録材料（記録紙）をロール状に巻回して収容したカートリッジ１３を給紙カバー３，４の開放後に装填可能な装填部１２，１２’と、を備える。図１では装填部１２，１２’にカートリッジ１３を装填する前、装填した後の状態を示している。
【００２１】
現像ユニット２１は、メンテナンスのために開閉可能な上面パネル６と、前面には、現像処理液等の補充等のために開閉可能に設けられた補給パネル７と、を備える。
【００２２】
図２に示すように、画像記録装置１の露光ユニット１１は、内部にロール状に巻かれた記録紙を収容したカートリッジ１３を装填し収容する装填部１２，１２’と、装填部１２，１２’に装填されたカートリッジ１３から記録紙を給送する搬送ローラ対４０，４１，４２等からなる給送部１４と、給送部１４から給送された記録紙Ｓを外周面に真空吸引し保持しながら主走査のために回転方向Ｒに回転するドラム１０と、ドラム１０上の記録紙に対しＬＥＤ光やレーザ光等の光ビームを露光する光学ユニット１６と、光学ユニット１６を副走査のために副走査方向（図１の紙面垂直方向）に搬送する副走査部１７と、画像記録後のドラム１０上の記録紙を剥離する剥離部材１５と、を備える。露光後の記録紙は出口１９及び接続部１９ａを通して現像ユニット２１へと搬送される。
【００２３】
図２の画像記録装置１は、更に、搬送ローラ対４２の下流側に配置されドラム１０に向けて送られる記録紙の搬送に従い従動回転する従動ローラ３１と、記録紙をドラム１０との間で搬送する従動ローラ３１と、ドラム１０上から剥離部材１５で剥離された記録紙をドラム１０と従動ローラ３１とで搬送するときに記録紙をガイドするアキュームガイド部材１８と、アキュームガイド部材１８で送られてきた記録紙を出口１９へと更に搬送する搬送ローラ対３２と、搬送ローラ対３２に達した記録紙をアキュームするためにアキュームガイド部材１８の一部が開放されることで形成されるアキュームレート部３０と、搬送ローラ対３２の下流側近傍に配置された記録紙の先端を検出する検出センサ３３と、を備える。
【００２４】
また、搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた記録紙の長さを求めることができる。また、下流側の搬送ローラ対３２は、ワンウェイクラッチ構造を有し、記録紙の下流側への送り出し方向への回転が自在となっている。
【００２５】
図２の搬送ローラ対４０，４１の下流側近傍には記録紙を切断するカット部１０ａがそれぞれ配置されており、各カット部１０ａはモータ（図示省略）により回転駆動されるロータリカッタを有し、上述の記録紙の長さ測定に基づいて記録紙を所定長さに切断する。
【００２６】
図２の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、を備える。
【００２７】
図３のように、画像記録装置１のドラム１０は、回転軸部１４’の回転軸１４ａ及び回転軸部１８ａの回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００２８】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて感光紙がドラム１０の表面に吸着される。
【００２９】
光学ユニット１６は、副走査部１７によりドラム軸と平行に移動可能に構成され、ドラム１０に吸着された感光紙に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ複数チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１からドラム１０上の感光紙に画像を露光する。露光シャッタ３３２は露光ソレノイド３３３により開閉することで、露光開始／終了時に光路の開閉を行なう。
【００３０】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＲによりＭ（マゼンダ）、ＧによりＣ（シアン）がそれぞれ発色するようになる。
【００３１】
光学ユニット１６は、移動ベルト３４０に固定され、一対のガイドレール３４１、３４２に案内されてドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に副走査方向Ｈ、その反対の方向Ｈ’に移動する。
【００３２】
また、図３のように、回転ドラム１０の外周面のドラム軸と平行の延長上位置にはフォトダイオード等の受光素子からなる測光部５７が配置されており、図３のホームポジションの位置の光学ユニット１６が方向Ｈ’に若干移動し各ＬＥＤユニット３２０〜３２２からの光ビームが測光部５７に入射することで、各チャンネルの各ＬＥＤの光ビームの光量を測定できるようになっている。
【００３３】
図３に示すように、吸引ブロアＰ１は空気吸引ポンプにより吸引連結管５１を通してドラム１０内を吸引し、露光ユニット１１による露光開始前にドラム１０内を負圧にし感光紙を外周面に吸着する。
【００３４】
次に、図１〜図３の画像形成装置１における画像データの流れ及び制御系について更に図４を参照して説明する。図４は図１〜図３の画像記録装置１の露光ユニット１１における画像データの流れ及び画像記録装置１の制御系のブロック図である。
【００３５】
図４に示すように、図１〜図３の画像記録装置１は、カラープルーフを作成するために画像処理装置であるＲＩＰ(Raster Image Processor)４９でラスターデータから網点画像データを作成し、この網点画像データがＲＩＰ４９から露光ユニット１１に転送されるようになっている。
【００３６】
露光ユニット１１は、図４のように、ＲＩＰ４９からの網点画像データが入力する画像データＩ／Ｆ部５２と、画像データＩ／Ｆ部５２からの網点画像データをいったん記憶し随時出力するハードディスク記憶装置等からなるデータバッファ５３と、データバッファ５３からの網点画像データに基づいて感光紙に対する露光のための露光データを作成するルックアップテーブル５４と、ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００３７】
図４の制御部５０は、中央演算処理装置（ＣＰＵ）等から構成され、画像データＩ／Ｆ部５２、データバッファ５３、ルックアップテーブル５４、各種情報を表示可能な表示部２、読取部７０（図５、図９）及び他の装置部分を制御する。
【００３８】
次に、図１，図２の画像記録装置１の装填部１２，１２’に装填可能な本実施の形態によるカートリッジについて図５乃至図９を参照して説明する。
【００３９】
図５は本実施の形態によるカートリッジの内部を側面から見た側断面図である。図６は図５のカートリッジの奥側の背面図である。図７は図５のカートリッジ内に収容される巻き芯部材に巻回された記録紙を示す斜視図である。図８は図７の巻き芯部材の側面図である。図９は図７の巻き芯部材の側端部に設けられたＩＤタグ及び図１，図２の画像記録装置側に設けられた読取部の電気回路図である。
【００４０】
図５，図６に示すように、カートリッジ１３は、筐体が上側と下側の二つのシェル５６，５７に２分割されており、上側シェル５６と下側シェル５７が蝶番５９により接続され開閉可能でありロール状の記録紙を収容可能である。上側シェル５６と下側シェル５７の両側端部１３ａ及び１３ｂはそれぞれ樹脂材料から構成されている。
【００４１】
カートリッジ１３は、全体として略直方体状で長く延びるように構成され、その長手方向が図１の装填部１２，１２’に装填されるときのカートリッジ１３の装填方向Ｔに一致する。
【００４２】
蝶番５９はカートリッジ１３の上面側に配置され、また、蝶番５９とは反対側のカートリッジ１３の下面側における上側シェル５６と下側シェル５７との合わせ部５８からローラ対５５を通して記録紙Ｓの先端を引き出して使用する構造になっている。
【００４３】
カートリッジ１３の上側シェル５６の上面には手前側端部１３ｂの近傍に持ち運び用の取っ手１３ｄが設けられ、同じく装填方向Ｔの奥側端部１３ａの近傍に持ち運び用の取っ手１３ｃが設けられている。
【００４４】
図５、図６のように、カートリッジ１３内には、図７のような記録紙Ｓを巻回した巻き芯部材６０が収容されている。巻き芯部材６０は、円筒状の両側端部に大径の円形状の鍔部６１，６２を有し、鍔部６１，６２の間の円筒部に記録紙Ｓが巻かれている。
【００４５】
図７，図８のように、奥側の鍔部６１の側面部６１ａには、中心が凹んだ凹部６１ｂが形成されており、凹部６１ｂ内に、記録紙に関する識別情報が記録されたＩＣチップからなるＩＤタグ６６と金属薄膜からなるコイル部６７とが設けられている。
【００４６】
ＩＤタグ６６に記録される識別情報としては、例えば、記録紙のロットＮｏ．や種類（光沢紙やマット紙等の）や感度情報などがあるが、これらに限定されない。かかる識別情報は書き込み装置を用いてＩＤタグ６６に記録することができる。
【００４７】
また、図５に示すように、図１，図２の画像記録装置１の装填部１２，１２’の装填方向奥側には、カートリッジ１３が装填されたときに、カートリッジ１３の樹脂材料からなる奥側端部１３ａを介してカートリッジ１３内の巻き芯部材６０の鍔部６１に設けられたＩＤタグ６６に接近するように読取部７０が設けられており、読取部７０は図４の制御部５０により制御されるとともに読み取り情報を制御部５０に送る。
【００４８】
図９に示すように、読取部７０は、コイル部７１と、電源７２と、送信のための変調部７０ａと、受信のための復調部７０ｂとを含み、また、ＩＤタグ６６は、コイル部６７と、送信のための変調部６６ａと、受信のための復調部６６ｂと、を含む。読取部７０のコイル部７１と、ＩＤタグ６６のコイル部６７とが交流磁界によるコイルの相互誘導・電磁誘導により交信し電源供給がなされる。
【００４９】
図９において、読取部７０からコイル部７１を介して送信すると、ＩＤタグ６６がコイル部６７で受信し電力を内部で蓄積して電源とするとともに、ＩＣチップに記憶されたＩＤコード信号を読取部７０に送信する。読取部７０は、受信したＩＤコード信号を復調部７０ｂで解読し、その読み取り情報を内蔵のメモリに蓄積し、必要に応じてインターフェイスを介して図４の制御部５０に転送し、制御部５０ではその読み取り情報に基づいて識別情報を得る。
【００５０】
上述のように、読取部７０はＩＤタグ６６から電波により通信を行うことで非接触で識別情報を読み取るようになっている。この通信はカートリッジ１３の奥側端部１３ａを介して行われるが、奥側端部１３ａは樹脂材料から構成されているので、通信に障害はない。
【００５１】
また、ＩＤタグ６６はコイル部６７で読取部７０から受信し、その電力を動作電力に用いるので駆動電源が不要であり、また、読取部７０と非接触で接続できる。また、外部との接触用端子が不要であり、コイル部とＩＣチップだけで構成できるので、低コスト化、軽量化、小型化を図ることができる。
【００５２】
図５に示すように、カートリッジ１３を図１，図２の画像記録装置１の装填部１２または１２’に装填したとき、画像記録装置１の読取部７０がカートリッジ１３の樹脂材料からなる奥側端部１３ａを介して接近する巻き芯部材６０のＩＤタグ６６から電波により識別情報を自動的に読み取ることができるので、カートリッジ１３を記録紙交換のために画像記録装置１に装填する際に作業者がその都度情報を入力することは必要なくなり、手間がかからずに記録紙を含むカートリッジの管理を容易かつ確実に行うことができる。
【００５３】
上述のようにしてカートリッジ１３から読み取った識別情報に基づいて制御部５０は画像記録装置１を制御し露光ユニット１１及び現像ユニット２１における各種条件を自動的に設定することができる。
【００５４】
以上のように本発明を実施するための最良の形態について説明したが、本発明はこれらに限定されるものではなく、本発明の技術的思想の範囲内で各種の変形が可能である。ＩＤタグ６６は、巻き芯部材６０の側端面以外に設けてもよく、例えば、図６のようにカートリッジ１３の奥側端部１３ａの面上に貼り付けられる情報ラベル６９にＩＤタグを埋め込むようにして設けてもよい。この場合、情報ラベル６９の位置に装置側の読取部７０を合わせることが望ましい。また、奥側端部１３ａは樹脂材料から構成されているので、通信に障害はない。
【００５５】
また、ＩＤタグは、図９では密に結合した電磁誘導作用を利用した電磁結合方式によるものを用いたが、本発明では、これに限定されず他の種類のＩＤタグを用いてもよく、例えば、静電気結合方式、電磁誘導方式、マイクロ波方式等によるものを利用できる。
【図面の簡単な説明】
【００５６】
【図１】本実施の形態によるカートリッジを装填可能な画像記録装置全体の外観を示す斜視図である。
【図２】図１の画像記録装置の内部を正面側から見た図である。
【図３】図２の画像記録装置のドラム及び光学ユニットを上部から見た要部平面図である。
【図４】図１〜図３の画像記録装置１の露光ユニット１１における画像データの流れ及び画像記録装置１の制御系のブロック図である。
【図５】本実施の形態によるカートリッジの内部を側面から見た側断面図である。
【図６】図５のカートリッジの奥側の背面図である。
【図７】図５のカートリッジ内に収容される巻き芯部材に巻回された記録紙を示す斜視図である。
【図８】図５の巻き芯部材の側面図である。
【図９】図７の巻き芯部材の側端部に設けられたＩＤタグ及び図１，図２の画像記録装置側に設けられた読取部の電気回路図である。
【符号の説明】
【００５７】
１ 画像記録装置
１０ ドラム
１１ 露光ユニット
１２，１２’ 装填部
１３ カートリッジ
１３ａ 奥側端部
２１ 現像ユニット
６０ 芯部材
６１，６２ 鍔部
６１ａ 側面部
６１ｂ 凹部
６６ ＩＤタグ
６７ コイル部
６９ 情報ラベル
７０ 読取部
７１ コイル部
７２ 電源
Ｓ 記録紙
Ｔ 装填方向
【図１】
2005128394.tif 000003
【図２】
2005128394.tif 000004
【図３】
2005128394.tif 000005
【図４】
2005128394.tif 000006
【図５】
2005128394.tif 000007
【図６】
2005128394.tif 000008
【図７】
2005128394.tif 000009
【図８】
2005128394.tif 000010
【図９】
2005128394.tif 000011